(57)【要約】【課題】バッテリーポストとの接続信頼性を確保できるバッテリーターミナルを提供することを目的とする。【解決手段】バッテリーターミナル１は、上板装着孔２３Ｕを有する上板部２０Ｕと、下板装着孔２３Ｌを有する下板部２０Ｌと、上板部２０Ｕと下板部２０Ｌとを連結する第１連結部３０Ａおよび第２連結部３０Ｂとを備えるターミナル本体１０と、ターミナル本体１０に取り付けられて上板装着孔２３Ｕおよび下板装着孔２３Ｌを縮径変形させるブラケット７０と、ボルト８０とナット９０とを備え、第１連結部３０Ａおよび第２連結部３０Ｂが、上板部２０Ｕおよび下板部２０Ｌと垂直な第１当接面３２Ａおよび第２当接面３２Ｂを有し、ナット９０は、上板部２０Ｕと下板部２０Ｌとの間に配置され、ナット孔９１が開口する面と垂直な複数の側面９３のうち一の側面９３Ａが第１当接面３２Ａおよび第２当接面３２Ｂに当接している。【選択図】図１１
2015167107.tif 000002
【特許請求の範囲】
【請求項１】
バッテリーに備えられるバッテリーポストに取り付けられるバッテリーターミナルであって、
上板部と、前記上板部と平行に配置される下板部と、前記上板部と前記下板部とを連結する連結部とを備え、
前記上板部が、前記バッテリーポストが挿通される上板装着孔と、前記上板装着孔の孔縁から前記上板部の端縁まで延びる上板スリット部とを有し、前記上板スリット部の両側に配置される部分が上板第１締付部および上板第２締付部となっており、
前記下板部が、前記バッテリーポストが挿通される下板装着孔と、前記下板装着孔の孔縁から前記下板部の端縁まで延びる下板スリット部とを有し、前記下板スリット部の両側に配置される部分が下板第１締付部および下板第２締付部となっているターミナル本体と、
前記ターミナル本体に取り付けられて、前記上板第１締付部と前記上板第２締付部、および前記下板第１締付部と前記下板第２締付部を互いに近接する方向に押圧して前記上板装着孔および前記下板装着孔を縮径変形させる締付部材と、
前記上板部と前記下板部との間に配置され、ナット孔を有するナットと、
前記ナットにねじ付けられて前記締付部材を前記ターミナル本体に固定するボルトとを備え、
前記連結部が、前記上板部および前記下板部と垂直な当接面を有し、
前記ナットが、前記ナット孔が開口する面と垂直な複数の側面を有し、
前記締付部材が前記ターミナル本体に固定されている状態で、前記複数の側面のうち一の側面が、前記当接面に当接している、バッテリーターミナル。
【請求項２】
前記ナットが４つの前記側面を有する四角ナットである、請求項１に記載のバッテリーターミナル。
【発明の詳細な説明】
【技術分野】
【０００１】
本発明は、バッテリーターミナルに関する。
【背景技術】
【０００２】
バッテリーターミナルは、車両に備えられるバッテリーのバッテリーポストに取り付けられる部材である。特許第４０３３２８５号公報には、１枚の金属板をプレス加工することにより製造されるバッテリーターミナルが開示されている。
【０００３】
上記のバッテリーターミナルは、ターミナル本体と、締付具と、締付具をターミナル本体に締め付けるためのボルトおよびナットとを備えている。
【０００４】
ターミナル本体は、１枚の金属板を折り曲げることにより形成されており、互いに平行に配置された上側部と下側部とを有している。上側部は、切り欠きを有する環状の電極嵌合部と、この電極嵌合部の切り欠きの両側からそれぞれ延出された２つの締付部とを有している。下側部も同様に、電極嵌合部と２つの締付部とを有している。締付部は、ボルトとナットとを用いて上側部に締め付け固定される上面部と、この上面部から延びる２つの側部とを有している。各側部は、それぞれ、上面部から離れるほど外側に向かって傾く複数のテーパ面を有している。
【０００５】
バッテリーポストを電極嵌合部に挿通させた後、ボルトとナットとを用いて上面部をターミナル本体に締め付けると、テーパ面が、上側部の２つの締付部の側縁をそれぞれ押圧する。この押圧力の上側部と平行な方向の分力が、２つの締付部を互いに近づく方向に移動させ、電極嵌合部を縮径変形させる。下側部についても同様である。これにより、電極嵌合部の内周面がバッテリーポストの外周面に当接し、バッテリーターミナルとバッテリーポストとが電気的に接続される。
【０００６】
特許第４０３３２８５号には、締付部をターミナル本体に締め付けるためのナットを、上側部と下側部との間に配置した例が示されている。このような構成によれば、ナットの厚み分だけ、バッテリーターミナルの高さを小さくすることができるという利点がある。また、上側部と下側部との間隔がナットの存在によって保持されるから、テーパ面による押圧力の上側部と垂直な方向の分力により、ターミナル本体が潰れるように（上側部と下側部とが近づくように）変形することを抑制できる、という利点がある。
【先行技術文献】
【特許文献】
【０００７】
【特許文献１】特許第４０３３２８５号公報
【発明の概要】
【発明が解決しようとする課題】
【０００８】
しかし、上記の構成では、ボルトを締め付ける際に、ナットを工具で押さえておくことが困難となってしまう。このため、ボルトの回転に伴ってナットが回転してしまい、締付部をターミナル本体に対して十分な締め付け力をもって固定できなくなってしまうことが懸念される。このような事態が生じると、バッテリーターミナルとバッテリーポストとの接続が十分ではなくなるおそれがある。
【０００９】
本発明は上記のような事情に基づいて完成されたものであって、バッテリーポストとの接続信頼性を確保できるバッテリーターミナルを提供することを目的とする。
【課題を解決するための手段】
【００１０】
本発明のバッテリーターミナルは、バッテリーに備えられるバッテリーポストに取り付けられる部材であって、上板部と、前記上板部と平行に配置される下板部と、前記上板部と前記下板部とを連結する連結部とを備え、前記上板部が、前記バッテリーポストが挿通される上板装着孔と、前記上板装着孔の孔縁から前記上板部の端縁まで延びる上板スリット部とを有し、前記上板スリット部の両側に配置される部分が上板第１締付部および上板第２締付部となっており、前記下板部が、前記バッテリーポストが挿通される下板装着孔と、前記下板装着孔の孔縁から前記下板部の端縁まで延びる下板スリット部とを有し、前記下板スリット部の両側に配置される部分が下板第１締付部および下板第２締付部となっているターミナル本体と、前記ターミナル本体に取り付けられて、前記上板第１締付部と前記上板第２締付部、および前記下板第１締付部と前記下板第２締付部を互いに近接する方向に押圧して前記上板装着孔および前記下板装着孔を縮径変形させる締付部材と、前記上板部と前記下板部との間に配置され、ナット孔を有するナットと、前記ナットにねじ付けられて前記締付部材を前記ターミナル本体に固定するボルトとを備え、前記連結部が、前記上板部および前記下板部と垂直な当接面を有し、前記ナットが、前記ナット孔が開口する面と垂直な複数の側面を有し、前記締付部材が前記ターミナル本体に固定されている状態で、前記複数の側面のうち一の側面が前記当接面に当接している。
【００１１】
上記の構成によれば、ナットの一の側面を、当接面に当接させておくことにより、ナットを上板部と下板部との間に配置しても（つまり、ボルトをねじ付ける際にナットを工具で押さえておくことが困難な狭い空間にナットを配置しても）、ナットの回転を抑制することができる。これにより、締付部材をターミナル本体に対して十分な締め付け力をもって固定し、バッテリーターミナルとバッテリーポストの接続信頼性を確保できる。
【００１２】
本発明の実施の態様として、以下の構成が好ましい。
【００１３】
前記ナットが４つの前記側面を有する四角ナットであってもよい。四角ナットを用いると、より円柱形に近い六角ナットなどに比べて、当接面に当接される一の側面の面積が大きくなる。また、一の側面と、これと隣接する他の側面との角度が小さくなるため、ナットが回転しようとした際に、一の側面と他の側面との間の角部が当接面に引っかかりやすい。このように、ナットとして四角ナットを用いると、ナットの回転の抑制に有利である。
【発明の効果】
【００１４】
本発明によれば、バッテリーポストとの接続信頼性を確保できるバッテリーターミナルを提供することができる。
【図面の簡単な説明】
【００１５】
【図１】実施形態のバッテリーターミナルの斜視図
【図２】実施形態のバッテリーターミナルおよびバッテリーポストの分解斜視図
【図３】実施形態のバッテリーターミナルの平面図
【図４】実施形態のバッテリーターミナルの底面図
【図５】実施形態のバッテリーターミナルの正面図
【図６】実施形態のバッテリーターミナルの背面図
【図７】実施形態のバッテリーターミナルの右側面図
【図８】実施形態のバッテリーターミナルの左側面図
【図９】図３のＡ−Ａ線断面図
【図１０】図３のＢ−Ｂ線断面図
【図１１】図７のＣ−Ｃ線断面図
【図１２】実施形態のバッテリーターミナルをバッテリーポストに取り付けた様子を示す斜視図
【図１３】実施形態のバッテリーポストに取り付けられたバッテリーターミナルを図３のＢ−Ｂ線と同位置で切断した断面図
【図１４】実施形態のバッテリーポストに取り付けられたバッテリーターミナルを図７のＣ−Ｃ線と同位置で切断した断面図
【発明を実施するための形態】
【００１６】
本発明の実施形態を、図１〜図１４を参照しつつ説明する。本実施形態のバッテリーターミナル１は、車両のバッテリー（図示せず）に備えられるバッテリーポスト１００に取り付けられるものである。バッテリーポスト１００は、円柱状の軸部１０１と、軸部１０１の一端に配置された座部１０２とを有している。
【００１７】
バッテリーターミナル１は、図１、図２に示すように、ターミナル本体１０と、ブラケット７０（締付部材に該当）と、ボルト８０とナット９０とを備えている。
【００１８】
ターミナル本体１０は、上板部２０Ｕ、下板部２０Ｌ、２つの連結部３０Ａ、３０Ｂ、２つの受け部４０Ａ、４０Ｂ、２つの装着筒部５０Ｕ、５０Ｌ、および複数の止め片６０を備える。
【００１９】
上板部２０Ｕは、図２に示すように、全体として一方向に長い板状の部位であって、長さ方向と垂直な一対の短辺２１Ｕ、２２Ｕを有している。上板部２０Ｕは、バッテリーポスト１００における軸部１０１の軸方向と垂直に配置されている。
【００２０】
上板部２０Ｕは、上板装着孔２３Ｕと、上板スリット部２４Ｕとを有している。
【００２１】
上板装着孔２３Ｕは、上板部２０Ｕの一面から他面まで貫通しており、内部に軸部１０１が挿通される孔であって、上板部２０Ｕの２つの短辺２１Ｕ、２２Ｕのうち一方の短辺２１Ｕに近接して配置されている。上板装着孔２３Ｕは、バッテリーターミナル１がバッテリーポスト１００に取り付けられていない自由状態では、内径が軸部１０１の外径よりもわずかに大きくなっている。
【００２２】
上板スリット部２４Ｕは、上板装着孔２３Ｕの孔縁から、上板部２０Ｕの長さ方向に沿って、２つの短辺２１Ｕ、２２Ｕのうち上板装着孔２３Ｕから遠い方の短辺２２Ｕ（端縁に該当）まで延びる隙間である。この上板スリット部２４Ｕの存在により、上板部２０Ｕは、上板装着孔２３Ｕと短辺２２Ｕとの間の部分が２つに分断されている。
【００２３】
上板部２０Ｕにおいて、上板装着孔２３Ｕを囲む部位が上板装着部２５Ｕであり、上板スリット部２４Ｕを挟んで配置される２つの部分のうち一方が上板第１締付部２６Ｕ、他方が上板第２締付部２７Ｕである。
【００２４】
上板第１締付部２６Ｕは、半割凹部２８Ｕを有している。半割凹部２８Ｕは、上板第１締付部２６Ｕにおいて、上板第２締付部２７Ｕと対向する端面から、上板第２締付部２７Ｕに対して離間する方向に凹む凹部である。上板第２締付部２７Ｕも、同様に半割凹部２９Ｕを有している。半割凹部２９Ｕは、上板第２締付部２７Ｕにおいて、上板第１締付部２６Ｕと対向する端面から、上板第１締付部２６Ｕに対して離間する方向に凹む凹部である。２つの半割凹部２８Ｕ、２９Ｕは、互いに向かい合って配置されており、２つの半割凹部２８Ｕ、２９Ｕによって囲まれた空間は、ボルト８０を挿通するための空間となっている。
【００２５】
下板部２０Ｌは、図４に示すように、上板部２０Ｕと同様の外形を有しており、長さ方向と垂直な一対の短辺２１Ｌ、２２Ｌを有している。下板部２０Ｌは、上板部２０Ｕと平行に、かつ、上板部２０Ｕに対して間隔を空けて配置されている。
【００２６】
下板部２０Ｌは、図４に示すように、下板装着孔２３Ｌと、下板スリット部２４Ｌとを有している。
【００２７】
下板装着孔２３Ｌは、上板装着孔２３Ｕと同様の形状を有しており、下板部２０Ｌの一方の短辺２１Ｌに近接して配置されている。下板スリット部２４Ｌは、下板装着孔２３Ｌの孔縁から、下板部２０Ｌの長さ方向に沿って、２つの短辺２１Ｌ、２２Ｌのうち下板装着孔２３Ｌから遠い方の短辺２２Ｌ（端縁に該当）まで延びる隙間である。この下板スリット部２４Ｌの存在により、下板部２０Ｌは、下板装着孔２３Ｌと短辺２２Ｌとの間の部分が２つに分断されている。
【００２８】
上板部２０Ｕと同様に、下板部２０Ｌにおいても、下板装着孔２３Ｌを囲む部位が下板装着部２５Ｌである。また、下板スリット部２４Ｌを挟んで配置される２つの部分のうち、上板第１締付部２６Ｕと同じ側に配置される部分が下板第１締付部２６Ｌであり、上板第２締付部２７Ｕと同じ側に配置される部分が下板第２締付部２７Ｌである。下板第１締付部２６Ｌおよび下板第２締付部２７Ｌは、上板第１締付部２６Ｕおよび上板第２締付部２７Ｕと同様に、それぞれ半割凹部２８Ｌ、２９Ｌを有しており、２つの半割凹部２８Ｌ、２９Ｌによって囲まれた空間は、ボルト８０を挿通するための空間となっている。
【００２９】
上板部２０Ｕおよび下板部２０Ｌの板面に垂直な方向から見て、上板装着孔２３Ｕと下板装着孔２３Ｌとが互いに重なって配置され、上板スリット部２４Ｕと下板スリット部２４Ｌとが互いに重なって配置され、上板部２０Ｕの半割凹部２８Ｕ、２９Ｕと下板部２０Ｌの半割凹部２８Ｌ、２９Ｌとが互いに重なって配置されている。
【００３０】
２つの連結部３０Ａ、３０Ｂのうち一方は第１連結部３０Ａ、他方は第２連結部３０Ｂである。第１連結部３０Ａは、上板第１締付部２６Ｕにおける上板装着部２５Ｕとは反対側の端縁と、下板第１締付部２６Ｌにおける、下板装着部２５Ｌとは反対側の端縁とを連結する部位である。第２連結部３０Ｂは、上板第２締付部２７Ｕにおける上板装着部２５Ｕとは反対側の端縁と、下板第２締付部２７Ｌにおける下板装着部２５Ｌとは反対側の端縁とを連結する部位である。
【００３１】
図５に示すように、第１連結部３０Ａは、第１平板部３１Ａと、２つのヒンジ部３３Ａ、３４Ａとを備えている。
【００３２】
第１平板部３１Ａは、平たい板状の部位であって、上板第１締付部２６Ｕおよび下板第１締付部２６Ｌと垂直に配置されている。第１平板部３１Ａの内側面（上板第１締付部２６Ｕおよび下板第１締付部２６Ｌに向かう面）は、上板第１締付部２６Ｕおよび下板第１締付部２６Ｌの板面に対して垂直な第１当接面３２Ａである（図１１を併せて参照）。第１平板部３１Ａは、その一端が、上板第１締付部２６Ｕおよび下板第１締付部２６Ｌにおける外側の端縁（上板スリット部２４Ｕおよび下板スリット部２４Ｌとは反対側の端縁）よりも外側（上板スリット部２４Ｕおよび下板スリット部２４Ｌから離間する側）に位置している。
【００３３】
２つのヒンジ部３３Ａ、３４Ａのうち一方のヒンジ部３３Ａは、上板第１締付部２６Ｕと第１平板部３１Ａとの間に配置され、両者を繋ぐ部位であり、他方のヒンジ部３４Ａは、下板第１締付部２６Ｌと第１平板部３１Ａとの間に配置され、両者を繋ぐ部位である。
【００３４】
第２連結部３０Ｂは、第２平板部３１Ｂと、２つのヒンジ部３３Ｂ、３４Ｂとを備えている。
【００３５】
第２平板部３１Ｂは、板状の部位であって、上板第２締付部２７Ｕおよび下板第２締付部２７Ｌと垂直に配置されている。第２平板部３１Ｂの内側面（上板第２締付部２７Ｕおよび下板第２締付部２７Ｌに向かう面）は、上板第２締付部２７Ｕおよび下板第２締付部２７Ｌの板面に対して垂直な第２当接面３２Ｂである。また、第２平板部３１Ｂは、その一端が、上板第２締付部２７Ｕおよび下板第２締付部２７Ｌにおける外側の端縁（上板スリット部２４Ｕおよび下板スリット部２４Ｌとは反対側の端縁）よりも外側（上板スリット部２４Ｕおよび下板スリット部２４Ｌから離間する側）に位置している。
【００３６】
２つのヒンジ部３３Ｂ、３４Ｂのうち一方のヒンジ部３３Ｂは、上板第２締付部２７Ｕと第２平板部３１Ｂとの間に配置され、両者を繋ぐ部位であり、他方のヒンジ部３４Ｂは、下板第２締付部２７Ｌと第２平板部３１Ｂとの間に配置され、両者を繋ぐ部位である。
【００３７】
第１連結部３０Ａと第２連結部３０Ｂとの間には隙間があり、この隙間は、上板スリット部２４Ｕおよび下板スリット部２４Ｌに連なる連結スリット部３５である。
【００３８】
２つの受け部４０Ａ、４０Ｂのうち一方は、第１受け部４０Ａであり、他方は、第２受け部４０Ｂである。
【００３９】
図９に示すように、第１受け部４０Ａは、第１受け壁４１Ａと、第１係合部４２Ａとを備えている。第１受け壁４１Ａは、上板第１締付部２６Ｕの外側の側縁から、下板第１締付部２６Ｌに向かって延びる板状の部位であって、外方向（上板スリット部２４Ｕおよび下板スリット部２４Ｌから離間する方向）に膨らむ円弧状の断面を有している。第１係合部４２Ａは、第１受け壁４１Ａの端縁に配置されて、下板第１締付部２６Ｌに係合する部位である。
【００４０】
第２受け部４０Ｂは、第２受け壁４１Ｂと、第２係合部４２Ｂとを備えている。第２受け壁４１Ｂは、上板第２締付部２７Ｕの外側の側縁から、下板第２締付部２７Ｌに向かって延びる板状の部位であって、外方向（上板スリット部２４Ｕおよび下板スリット部２４Ｌから離間する方向）に膨らむ円弧状の断面を有している。第２係合部４２Ｂは、第２受け壁４１Ｂの端縁に配置されて、下板第２締付部２７Ｌに係合する部位である。
【００４１】
２つの装着筒部５０Ｕ、５０Ｌのうち一方は、上板装着筒部５０Ｕであり、他方は、下板装着筒部５０Ｌである。
【００４２】
上板装着筒部５０Ｕは、図２、図３および図１０に示すように、上板装着孔２３Ｕの孔縁から、上板部２０Ｕと垂直に、かつ下板部２０Ｌから離間する方向に延びる筒状の部位である。上板装着筒部５０Ｕは、上筒スリット部５１Ｕを有している。上筒スリット部５１Ｕは、上板スリット部２４Ｕから連なり、上板装着筒部５０Ｕにおける上板部２０Ｕとは反対側の端縁まで延びる隙間である。この上筒スリット部５１Ｕの存在により、上板装着筒部５０Ｕは、切り欠きを有する断面Ｃ字状の筒となっている。
【００４３】
下板装着筒部５０Ｌは、図１０、図１１に示すように、下板装着孔２３Ｌの孔縁から、下板部２０Ｌと垂直に、上板部２０Ｕに向かって延びる筒状の部位である。下板装着筒部５０Ｌは、下筒スリット部５１Ｌを有している。下筒スリット部５１Ｌは、下板スリット部２４Ｌから連なり、上板装着筒部５０Ｕにおける上板部２０Ｕとは反対側の端縁まで延びる隙間である。この上筒スリット部５１Ｕの存在により、上板装着筒部５０Ｕは、切り欠きを有する断面Ｃ字状の筒となっている。
【００４４】
複数の止め片６０は、上板装着部２５Ｕと下板装着部２５Ｌとを、所定の間隔を維持しつつ保持するための部位である。各止め片６０は、図２、図３、図６および図１１に示すように、下板装着部２５Ｌの端縁から上板装着部２５Ｕに向かって延びる主片６１と、主片６１から連なり、上板装着部２５Ｕと下板装着部２５Ｌとに挟まれて配置される保持片６２と、主片６１から連なり、上板装着部２５Ｕにおいて下板装着部２５Ｌとは反対側の板面に沿って延びる係止片６３とを有している。
【００４５】
ブラケット７０は、ボルト８０とナット９０によってターミナル本体１０に取り付けられて、ターミナル本体１０を、上板装着孔２３Ｕおよび下板装着孔２３Ｌが縮径されるように変形させるための部材である。ブラケット７０は、図２に示すように、基部７１と、２つの押圧部７３Ａ、７３Ｂとを有する。
【００４６】
基部７１は、矩形の板であって、上板第１締付部２６Ｕおよび上板第２締付部２７Ｕにおいて下板部２０Ｌとは反対側の面に重ねて配置される部位である。基部７１において、上板スリット部２４Ｕと平行な２つの辺の間の距離は、上板第１締付部２６Ｕの外側の端縁と上板第２締付部２７Ｕの外側の端縁との間の距離よりも短くなっている。基部７１は、上板部２０Ｕと対向する面からその反対側の面まで貫通するボルト挿通孔７２を有している。
【００４７】
２つの押圧部７３Ａ、７３Ｂのうち一方は第１押圧部７３Ａであり、他方は第２押圧部７３Ｂである。第１押圧部７３Ａは、基部７１において、上板スリット部２４Ｕと平行な２つの辺のうち、上板第１締付部２６Ｕに近い辺から、ターミナル本体１０に向かって延びる板状の部位である。第２押圧部７３Ｂは、基部７１において、上板スリット部２４Ｕと平行な２つの辺のうち、上板第２締付部２７Ｕに近い辺から、ターミナル本体１０に向かって延びる板状の部位である。
【００４８】
第１押圧部７３Ａおよび第２押圧部７３Ｂは、それぞれ、基部７１から離間するほど相手側から離れる向きに傾いている。図９に示すように、第１押圧部７３Ａおよび第２押圧部７３Ｂにおいて、互いに相手側を向く面は、それぞれ、基部７１から離間するほど相手側から離れる向きに傾く第１テーパ面７４Ａ、第２テーパ面７４Ｂである。第１押圧部７３Ａおよび第２押圧部７３Ｂは、それぞれ、第１テーパ面７４Ａおよび第２テーパ面７４Ｂを第１受け壁４１Ａおよび第２受け壁４１Ｂに当接させて、第１受け壁４１Ａおよび第２受け壁４１Ｂを互いに相手側に向かって押圧している。
【００４９】
ボルト８０は、頭部８１と、外周面にねじ山を有する胴部８２とを有する一般的な形状のものである。
【００５０】
ナット９０は、矩形のブロック状で、ナット孔９１を有する四角ナットである。図２に示すように、ナット孔９１は、ナット９０の一面からその逆側の面まで貫通し、内周面にねじ溝を有する孔である。ナット９０は、上板第１締付部２６Ｕおよび上板第２締付部２７Ｕと、下板第１締付部２６Ｌおよび下板第２締付部２７Ｌとの間に配置されている。
【００５１】
ナット９０は、ナット孔９１が開口している２つの開口面９２と、これら２つの面とは異なる４つの側面９３とを有している。ナット９０は、２つの開口面が、それぞれ、上板部２０Ｕと下板部２０Ｌとに対向する向きで配置されている。上板部２０Ｕおよび下板部２０Ｌの板面に垂直な方向から見て、ナット孔９１と、上板部２０Ｕの２つの半割凹部２８Ｕ、２９Ｕに囲まれた空間と、下板部２０Ｌの２つの半割凹部２８Ｌ、２９Ｌとで囲まれた空間とが互いに重なって配置されている。４つの側面９３は、開口面９２と垂直である。
【００５２】
ボルト８０の胴部８２が、ボルト挿通孔７２および上板部２０Ｕの２つの半割凹部２８Ｕ、２９Ｕに囲まれた空間に挿通され、ナット９０にねじ付けられることにより、ブラケット７０がターミナル本体１０に固定されている。図１０および図１１に示すように、ブラケット７０がボルト８０とナット９０とによってターミナル本体１０に固定されている状態では、ナット９０の４つの側面９３のうち一の側面９３Ａが、第１当接面３２Ａおよび第２当接面３２Ｂに当接して配置されている。
【００５３】
次に、上記のように構成されたバッテリーターミナル１を、バッテリーポスト１００に取り付ける手順について説明する。
【００５４】
ターミナル本体１０の上板装着孔２３Ｕおよび下板装着孔２３Ｌに、バッテリーポスト１００の軸部１０１を挿通させる。また、ナット９０を上板第１締付部２６Ｕおよび上板第２締付部２７Ｕと、下板第１締付部２６Ｌおよび下板第２締付部２７Ｌとの間にセットする。次に、ブラケット７０をターミナル本体１０に重ねる。ブラケット７０がターミナル本体１０にねじ止めされていない状態では、第１押圧部７３Ａが第１受け壁４１Ａに、第２押圧部７３Ｂが第２受け壁４１Ｂに、それぞれ接触し、基部７１は上板第１締付部２６Ｕおよび上板第２締付部２７Ｕから少し浮き上がった状態となっている。
【００５５】
この状態で、ボルト８０をボルト挿通孔７２に挿通してナット９０にねじ付ける。このとき、ナット９０の一の側面９３Ａを第１当接面３２Ａおよび第２当接面３２Ｂに当接させながらボルト８０を締め込んでいく。これにより、ボルト８０の回転に伴ってナット９０が回転してしまうことを抑制することができる。
【００５６】
ボルト８０をナット９０に締め込んでいくと、基部７１がボルト８０の頭部８１によって押圧され、上板第１締付部２６Ｕおよび上板第２締付部２７Ｕに近づく方向へ移動していく。すると、第１受け壁４１Ａが第１押圧部７３Ａに、また、第２受け壁４１Ｂが第１押圧部７３Ａに摺接しつつ、基部７１に近づく方向へ（つまり、第１押圧部７３Ａと第２押圧部７３Ｂとの間隔が狭くなる方向へ）移動していく。これにより、第１受け壁４１Ａと第２受け壁４１Ｂとは、互いに近づく方向へ移動していく。
【００５７】
第１押圧部７３Ａによる第１受け壁４１Ａに対する押圧力の、上板部２０Ｕおよび下板部２０Ｌと平行な方向の分力が、上板第１締付部２６Ｕおよび下板第１締付部２６Ｌに伝えられることにより、両者は上板第２締付部２７Ｕおよび下板第２締付部２７Ｌに近づく方向に移動する。同様に、上板第２締付部２７Ｕおよび下板第２締付部２７Ｌも、上板第１締付部２６Ｕおよび下板第１締付部２６Ｌに近づく方向に移動する。
【００５８】
これにより、上板装着孔２３Ｕおよび下板装着孔２３Ｌが縮径し、図１３、図１４に示すように、バッテリーポスト１００の軸部１０１の外周面に、上板装着孔２３Ｕ、下板装着孔２３Ｌ、上板装着筒部５０Ｕおよび下板装着筒部５０Ｌの内周面が密着する。これにより、バッテリーポスト１００とバッテリーターミナル１との導通が図られる。
【００５９】
ここで、ブラケット７０をターミナル本体１０に締め付けるためのナット９０が、上板第１締付部２６Ｕおよび上板第２締付部２７Ｕと、下板第１締付部２６Ｌおよび下板第２締付部２７Ｌとの間に配置されていることによって、ナット９０の厚み分だけ、バッテリーターミナル１の高さを小さくすることができる。
【００６０】
また、上板第１締付部２６Ｕおよび上板第２締付部２７Ｕと、下板第１締付部２６Ｌおよび下板第２締付部２７Ｌとの間隔が、ナット９０の存在によって保持される。これにより、第１押圧部７３Ａおよび第２押圧部７３Ｂによる押圧力の、上板部２０Ｕおよび下板部２０Ｌと垂直な方向の分力によって、ターミナル本体１０が潰れるように変形することを抑制できる。
【００６１】
また、ナット９０は、上板第１締付部２６Ｕおよび上板第２締付部２７Ｕと、下板第１締付部２６Ｌおよび下板第２締付部２７Ｌとの間という、狭い空間に配置されているので、ボルト８０を締め込む作業の間、ナット９０を工具で押さえておくことは困難である。しかし、ボルト８０の締め込みの際に、ナット９０の一の側面９３Ａを、第１当接面３２Ａおよび第２当接面３２Ｂに当接させておくことにより、ナット９０の回転を抑制することができる。これにより、ブラケット７０をターミナル本体１０に対して十分な締め付け力をもって固定し、バッテリーターミナル１とバッテリーポスト１００との接続信頼性を確保できる。
【００６２】
また、ナット９０として、四角ナットを用いている。四角ナットを用いると、より円柱形に近い六角ナットなどに比べて、第１当接面３２Ａおよび第２当接面３２Ｂに当接される一の側面９３Ａの面積を大きく取ることができる。また、一の側面９３Ａと、これと隣接する他の側面９３との角度が小さくなるため、ナット９０が回転しようとした際に、一の側面９３Ａと他の側面９３との間の角部が第１当接面３２Ａおよび第２当接面３２Ｂに引っかかりやすい。このように、ナット９０として四角ナットを用いると、ナット９０の回転の抑制に有利である。
【００６３】
＜他の実施形態＞
本発明は上記記述及び図面によって説明した実施形態に限定されるものではなく、例えば次のような実施形態も本発明の技術的範囲に含まれる。
（１）上記実施形態では、ナット９０として四角ナットを用いたが、当接面に当接する側面を有している多角形のナットであれば、回転の抑制効果を得ることができ、例えば、六角ナットを用いても構わない。
【００６４】
（２）第１平板部３１Ａの内側面のうち一部の領域のみが上板第１締付部２６Ｕおよび下板第１締付部２６Ｌの板面に対して垂直とされており、この垂直な領域がナット９０に当接する当接面とされていても構わない。第２平板部３１Ｂについても同様である。
【符号の説明】
【００６５】
１…バッテリーターミナル
１０…ターミナル本体
２０Ｕ…上板部
２２Ｕ…短辺（端縁）
２３Ｕ…上板装着孔
２４Ｕ…上板スリット部
２６Ｕ…上板第１締付部
２７Ｕ…上板第２締付部
２０Ｌ…下板部
２２Ｌ…短辺（端縁）
２３Ｌ…下板装着孔
２４Ｌ…下板スリット部
２６Ｌ…下板第１締付部
２７Ｌ…下板第２締付部
３０Ａ…第１連結部（連結部）
３０Ｂ…第２連結部（連結部）
３２Ａ…第１当接面（当接面）
３２Ｂ…第２当接面（当接面）
７０…ブラケット（締付部材）
８０…ボルト
９０…ナット
９１…ナット孔
９３…側面
９３Ａ…一の側面
１００…バッテリーポスト
【図１】
2015167107.tif 000003
【図２】
2015167107.tif 000004
【図３】
2015167107.tif 000005
【図４】
2015167107.tif 000006
【図５】
2015167107.tif 000007
【図６】
2015167107.tif 000008
【図７】
2015167107.tif 000009
【図８】
2015167107.tif 000010
【図９】
2015167107.tif 000011
【図１０】
2015167107.tif 000012
【図１１】
2015167107.tif 000013
【図１２】
2015167107.tif 000014
【図１３】
2015167107.tif 000015
【図１４】
2015167107.tif 000016